(57)【要約】【課題】  鉄製の階段を界壁に固定することができる階段構造及びユニット建物を提供する。【解決手段】  鉄製の階段（廻り階段５１）が界壁７０に隣接する階段構造である。この階段構造において、界壁７０は、耐火ボード（石膏ボード７３）と耐火ボード（石膏ボード７３）との間に、不燃材の枠材７１と、枠材７１に横架される不燃材の横架材７２と、を備える。鉄製の階段（廻り階段５１）は、枠材７１に横架された不燃材の横架材７２に固定される。【選択図】図１２
2020041311.tif 000002
【特許請求の範囲】
【請求項１】
鉄製の階段が界壁に隣接する階段構造であって、
前記界壁は、耐火ボードと耐火ボードとの間に、不燃材の枠材と、前記枠材に横架される不燃材の横架材と、を備え、
前記階段は、前記横架材に固定される
ことを特徴とする、階段構造。
【請求項２】
前記階段は、乾式接続によって、前記横架材に固定される
ことを特徴とする、請求項１に記載の階段構造。
【請求項３】
前記階段は、踏板と、ささら板と、を備え、
前記踏板は、前記ささら板を介して、前記横架材に固定される
ことを特徴とする、請求項２に記載の階段構造。
【請求項４】
１つの階層を構成する前記階段は、複数のサブ階段ユニットから形成される
ことを特徴とする、請求項１〜３の何れか一項に記載の階段構造。
【請求項５】
請求項１〜４の何れか一項に記載の階段構造を備える
ことを特徴とする、ユニット建物。
【発明の詳細な説明】
【技術分野】
【０００１】
本発明は、鉄製の階段が界壁に隣接する階段構造及びユニット建物に関するものである。
【背景技術】
【０００２】
従来、鉄製の階段構造が知られている（例えば、特許文献１参照）。特許文献１には、鉄製構築部材にて構成された階段部を、壁に固定する構成が開示されている。
【先行技術文献】
【特許文献】
【０００３】
【特許文献１】特開平５−３１１８３５号公報
【発明の概要】
【発明が解決しようとする課題】
【０００４】
しかしながら、特許文献１に記載の階段構造は、壁を貫通するようにして、ボルト及びナットを用いて、階段部を壁に固定する構造である。そのため、特許文献１に記載の階段構造では、界壁に階段を固定することができない、という問題がある。
【０００５】
そこで、本発明は、鉄製の階段を界壁に固定することができる階段構造及びユニット建物を提供することを目的としている。
【課題を解決するための手段】
【０００６】
前記目的を達成するために、本発明の階段構造は、鉄製の階段が界壁に隣接する階段構造であって、前記界壁は、耐火ボードと耐火ボードとの間に、不燃材の枠材と、前記枠材に横架される不燃材の横架材と、を備え、前記階段は、前記横架材に固定されることを特徴とする。
【０００７】
ここで、本発明の階段構造では、前記階段は、乾式接続によって、前記横架材に固定されてもよい。
【０００８】
また、本発明の階段構造では、前記階段は、踏板と、ささら板と、を備え、前記踏板は、前記ささら板を介して、前記横架材に固定されてもよい。
【０００９】
また、本発明の階段構造では、１つの階層を構成する前記階段は、複数のサブ階段ユニットから形成されてもよい。さらに、本発明のユニット建物は、上記の階段構造を備えてもよい。
【発明の効果】
【００１０】
このように構成された本発明の階段構造では、鉄製の階段が界壁に隣接する階段構造であって、界壁は、耐火ボードと耐火ボードとの間に、不燃材の枠材と、前記枠材に横架される不燃材の横架材と、を備え、階段は、横架材に固定される。そのため、界壁を貫通することなく、階段を界壁の横架材に取り付けることができる。
【００１１】
また、本発明の階段構造では、階段は、乾式接続によって、横架材に固定されることで、溶接する場合と比較して、軽量化することができる。
【００１２】
また、本発明の階段構造では、階段は、踏板とささら板とを備え、踏板は、ささら板を介して、横架材に固定されることで、溶接する場合と比較して、軽量化することができる。
【００１３】
また、本発明の階段構造では、１つの階層を構成する階段は、複数のサブ階段ユニットから形成されることで、小さいサイズに分割されたサブ階段ユニットを、界壁に取り付けることができるので、取付作業性を向上させることができる。
【００１４】
上記した構成なので、上記した本発明の階段構造の効果を奏するユニット建物とすることができる。
【図面の簡単な説明】
【００１５】
【図１】実施例１のユニット建物の構成を示す構成図である。
【図２】実施例１のユニット建物の構成を説明する説明図である。
【図３】実施例１のユニット建物の構成を示す分解斜視図である。
【図４】実施例１の最下階の建物ユニットの構成を示す斜視図である。
【図５】実施例１の上階の建物ユニットの構成を示す斜視図である。
【図６】実施例１の最上階の建物ユニットの構成を示す斜視図である。
【図７】実施例１の階段ユニットの構成を示す斜視図である。
【図８】実施例１の階段ユニットの構成を示す平面図である。
【図９】実施例１の界壁の構成を示す斜視図である。
【図１０】実施例１の界壁の構成を示す断面図である。
【図１１】実施例１の階段の中央壁への取付構造を示す断面図である。
【図１２】実施例１の階段の界壁への取付構造を示す断面図である。
【図１３】実施例１の階段の間仕切り壁への取付構造を示す断面図である。
【図１４】実施例１の階段ユニットのジグの構成を示す斜視図であり、図１４（ａ）は、第１サブ階段ユニットを示し、図１４（ｂ）は、第２サブ階段ユニットを示し、図１４（ｃ）は、第３サブ階段ユニットを示す。
【図１５】実施例１の階段ユニットのジグの構成を示す断面図である。
【図１６】実施例１のユニット建物の組立手順を説明する説明図である。
【図１７】実施例１のユニット建物の組立手順を説明する説明図である。
【図１８】実施例１のユニット建物の組立手順を説明する説明図である。
【図１９】実施例１のユニット建物の組立手順を説明する説明図である。
【発明を実施するための形態】
【００１６】
以下、本開示による階段構造及びユニット建物を実現する実施形態を、図面に示す実施例１に基づいて説明する。
【実施例１】
【００１７】
まず、構成を説明する。実施例１における階段構造及びユニット建物は、最下階と上階と最上階とからなる３階建ての建物の各階の床をつなぐ階段構造を有する集合住宅のユニット建物に適用される。
【００１８】
［ユニット建物の構成］
図１は、実施例１のユニット建物の構成を示す構成図である。図２は、実施例１のユニット建物の構成を説明する説明図である。図３は、実施例１のユニット建物の構成を示す分解斜視図である。以下、図１〜図３に基づいて、実施例１のユニット建物の構成を説明する。
【００１９】
ユニット建物１は、図１に示すように、基礎２の上に最下階の建物ユニット１０が設置され、最下階の建物ユニット１０の上に上階の建物ユニット１１０が設置され、上階の建物ユニット１１０の上に最上階の建物ユニット２１０が設置される。最上階の建物ユニット２１０の上方には、屋根パネル３が配置される。
【００２０】
ユニット建物１は、図１及び図２に示すように、ある世帯が生活する第１住戸Ｈ１と、別の世帯が生活する第２住戸Ｈ２と、別の世帯が生活する第３住戸Ｈ３と、別の世帯が生活する第４住戸Ｈ４と、からなる集合住宅である。
【００２１】
図３に示すように、最下階の建物ユニット１０の内部には、最下階の階段ユニット５０が配置され、上階の建物ユニット１１０の内部には、上階の階段ユニット５０が配置される。
【００２２】
［建物ユニットの構成］
図４は、実施例１の最下階の建物ユニットの構成を示す斜視図である。図５は、実施例１の上階の建物ユニットの構成を示す斜視図である。図６は、実施例１の最上階の建物ユニットの構成を示す斜視図である。以下、図４〜図６に基づいて、実施例１の建物ユニットの構成を説明する。なお、説明を簡略化するために、外壁についての説明を省略する。
【００２３】
最下階の建物ユニット１０と、上階の建物ユニット１１０と、最上階の建物ユニット２１０とは、何れも４本の角形鋼管から成る柱１１と、これらの柱１１の下端部間を連結した４本の溝形鋼から成る床大梁１２と、これらの柱１１上端部間を連結した４本の溝形鋼から成る天井大梁１３と、を有する骨組み構造体を備える。
【００２４】
（最下階の建物ユニット）
図４に示すように、最下階の建物ユニット１０の対向する長辺側の床大梁１２間には、角形鋼管から成る複数の床小梁１４が略平行に略等間隔で架け渡される。これらの床小梁１４の上に、床板１５が取り付けられる。床板１５の上面は、床を構成する。床板１５の荷重及び床板１５に加わる荷重は、床小梁１４と床大梁１２から基礎２に伝えられるようになっている。
【００２５】
最下階の建物ユニット１０の対向する長辺側の天井大梁１３間には、溝形鋼から成る複数の天井小梁１６が略平行に架け渡される。これらの天井小梁１６の下面に天井板１７が取り付けられる。最下階の建物ユニット１０の天井板１７は、階段上に吹き抜け空間を有するように開口する。
【００２６】
最下階の建物ユニット１０において、天井大梁１３の内側であって、最下階の階段ユニット５０が設置される位置には、天井小梁１６が設けられておらず、溝形鋼から成る第１天井補助梁２１と、溝形鋼から成る第２天井補助梁２２と、が設けられる。
【００２７】
（上階の建物ユニット）
図５に示すように、上階の建物ユニット１１０の対向する長辺側の床大梁１２間には、角形鋼管から成る複数の床小梁１４が略平行に略等間隔で架け渡される。これらの床小梁１４の上に、床板１１５が取り付けられる。床板１１５の上面は、床を構成する。上階の建物ユニット１１０の床板１１５は、階段上に吹き抜け空間を有するように開口する。床板１１５の荷重及び床板１１５に加わる荷重は、床小梁１４と床大梁１２から、下階の柱１１を介して、基礎２に伝えられるようになっている。
【００２８】
上階の建物ユニット１１０の対向する長辺側の天井大梁１３間には、溝形鋼から成る複数の天井小梁１６が略平行に架け渡される。これらの天井小梁１６の下面に天井板１７が取り付けられる。上階の建物ユニット１１０の天井板１７は、階段上に吹き抜け空間を有するように開口する。
【００２９】
上階の建物ユニット１１０において、床大梁１２の内側であって、上階の階段ユニット５０が設置される位置には、床小梁１４が設けられておらず、角形鋼管から成る第１床補助梁３１と、角形鋼管から成る第２床補助梁３２と、が設けられる。
【００３０】
上階の建物ユニット１１０において、天井大梁１３の内側であって、上階の階段ユニット５０が設置される位置には、天井小梁１６が設けられておらず、最下階の建物ユニット１０と同様に、溝形鋼から成る第１天井補助梁２１と第２天井補助梁２２とが設けられる。
【００３１】
（最上階の建物ユニット）
図６に示すように、最上階の建物ユニット２１０の対向する長辺側の床大梁１２間には、角形鋼管から成る複数の床小梁１４が略平行に略等間隔で架け渡される。これらの床小梁１４の上に、床板１１５が取り付けられる。床板１１５の上面は、床を構成する。最上階の建物ユニット２１０の床板１１５は、階段上に吹き抜け空間を有するように開口する。床板１１５の荷重及び床板１１５に加わる荷重は、床小梁１４と床大梁１２から、上階の柱１１と最下階の柱１１を介して、基礎２に伝えられるようになっている。
【００３２】
最上階の建物ユニット２１０の対向する長辺側の天井大梁１３間には、溝形鋼から成る複数の天井小梁１６が略平行に架け渡される。これらの天井小梁１６の下面に天井板１１７が取り付けられる。
【００３３】
最上階の建物ユニット２１０において、床大梁１２の内側であって、上階の階段ユニット５０が設置される位置には、床小梁１４が設けられておらず、上階の建物ユニット１１０と同様に、角形鋼管から成る第１床補助梁３１と第２床補助梁３２とが設けられる。
【００３４】
［階段ユニットの構成］
図７は、実施例１の階段ユニットの構成を示す斜視図である。図８は、実施例１の階段ユニットの構成を示す平面図である。図９は、実施例１の界壁の構成を示す斜視図である。図１０は、実施例１の界壁の構成を示す断面図である。図１１は、実施例１の階段の中央壁への取付構造を示す断面図である。図１２は、実施例１の階段の界壁への取付構造を示す断面図である。以下、図７〜図１２に基づいて、実施例１の階段ユニットの構成を説明する。なお、最下階の階段ユニットと上階の階段ユニットとは、同様の構成であるため、最下階の階段ユニットについて説明し、上階の階段ユニットについての説明を省略する。
【００３５】
階段ユニット５０は、図７及び図８に示すように、階段ユニット５０の中央に配置される中央壁６０と、中央壁６０の外側を取り巻くように設置される廻り階段５１と、廻り階段５１の外周に設置される界壁７０と間仕切り壁８０と、から構成される。
【００３６】
（中央壁の構成）
中央壁６０は、枠状に形成された溝形鋼から成る枠材６１に、二枚の石膏ボード等から成る壁材６２が取り付けられて、矩形パネル状に形成される。枠材６１の内側には、廻り階段５１を支持する溝形鋼から成る複数の内側支持部材６３を有する。
【００３７】
（廻り階段の構成）
廻り階段５１は、複数の踏板５２と、複数の蹴込み板５３と、蹴込み板５３の両端部に配置される支持手段としての複数のささら板５５と、から構成される。
【００３８】
踏板５２は、板材で形成され、裏面に鉄製の裏板５２ａが取り付けられる。蹴込み板５３は、鉄製の板材で形成される。蹴込み板５３は、踏板５２に、釘等の取付金具により取り付けられる。
【００３９】
各ささら板５５は、鉄製の板材から成り、図７及び図１５に示すように、基部５５ａと、基部５５ａの両端部から基部５５ａと垂直方向に延在する張出部５５ｂとから成る角型Ｕ字状（コノ字状）に形成される。ささら板５５は、踏板５２の幅方向両端部に配置され、踏板５２を下方から支持する。
【００４０】
廻り階段５１は、図８に示すように、中央壁６０の外側を取り巻くように２７０度向きを変えて、Ｇ字状に形成され、最下階の床から上階の床までアクセス可能に構成される。
【００４１】
廻り階段５１の幅方向の内周側の端部は、ささら板５５を介して、中央壁６０に支持される。廻り階段５１の幅方向の外周側の端部は、ささら板５５を介して、界壁７０に支持される。
【００４２】
（界壁の構成）
界壁７０は、図９及び図１０に示すように、枠状に形成される枠材７１と、枠材７１に横架される横架材７２と、枠材７１に取り付けられる耐火ボードとしての石膏ボード７３と、断熱材７５と、からなる耐火構造とする。界壁７０は、廻り階段５１の外周を囲むように、複数設置される。
【００４３】
枠材７１は、溝型鋼で正面視略長方形の枠状に形成される。横架材７２は、溝型鋼で形成され、枠材７１に横架される。横架材７２は、踏板５２と蹴込み板５３が取り付けられる位置に対応して設けられる。
【００４４】
石膏ボード７３は、枠材７１に２枚重ねて設けられる。なお、建物ユニット間に界壁７０が設けられる場合、石膏ボード７３は、界壁７０の室内側の枠材７１に設けられる。断熱材７５は、例えばグラスウールであり、石膏ボード７３の間に設けられる。すなわち、界壁７０の両面には、２枚に重ねられた石膏ボード７３が設けられる。
【００４５】
（間仕切り壁の構成）
間仕切り壁８０は、図１３に示すように、枠状に形成された溝形鋼から成る枠材８１に、一枚の石膏ボード等から成る壁材８２が取り付けられて、矩形パネル状に形成される。枠材８１の内側には、廻り階段５１を支持する溝形鋼から成る複数の横架材８３を有する。
【００４６】
（廻り階段の中央壁への取付構造）
廻り階段５１の踏板５２は、図１１に示すように、ささら板５５を介して中央壁６０に乾式接続によって取り付けられる。ささら板５５の張出部５５ｂに、踏板５２が載置される。張出部５５ｂに載置された踏板５２は、ビスＳによって複数個所を固定される。ささら板５５の基部５５ａは、複数のビスＳによって、中央壁６０の壁材６２を介して、内側支持部材６３に固定される。すなわち、踏板５２は、乾式接続によってささら板５５に取り付けられる。また。ささら板５５は、乾式接続によって中央壁６０に固定される。
【００４７】
（廻り階段の界壁への取付構造）
廻り階段５１の踏板５２は、図１２に示すように、ささら板５５を介して界壁７０の横架材７２に乾式接続によって取り付けられる。踏板５２は、ささら板５５の張出部５５ｂに載置される。張出部５５ｂに載置された踏板５２は、複数のビスＳによって固定される。
【００４８】
ささら板５５の基部５５ａは、複数のビスＳによって、界壁７０の石膏ボード７３を介して、横架材７２に固定される。すなわち、ささら板５５は、乾式接続によって界壁７０に固定される。これにより、ささら板５５は、界壁７０を貫通することなく界壁７０に取り付けられて、廻り階段５１の外周側を支持する。
【００４９】
（廻り階段の間仕切り壁への取付構造）
廻り階段５１の踏板５２は、図１３に示すように、ささら板５５を介して間仕切り壁８０の横架材８３に乾式接続によって取り付けられる。踏板５２は、複数のビスＳによってささら板５５に固定される。ささら板５５の基部５５ａは、複数のビスＳによって、間仕切り壁８０の壁材８２を介して、横架材８３に固定される。
【００５０】
最下階の建物ユニット１０の界壁７０と間仕切り壁８０は、最下階の建物ユニット１０の床板１５上に載置される。すなわち、界壁７０と間仕切り壁８０は、界壁７０と間仕切り壁８０が配置された階の床板１５に支持される。
【００５１】
［階段ユニットのジグの構成］
図１４は、実施例１の階段ユニットのジグの構成を示す斜視図であり、図１４（ａ）は、第１サブ階段ユニットを示し、図１４（ｂ）は、第２サブ階段ユニットを示し、図１４（ｃ）は、第３サブ階段ユニットを示す。図１５は、実施例１の階段ユニットのジグの構成を示す断面図である。以下、図１４及び図１５に基づいて、実施例１の階段ユニットのジグの構成を説明する。なお、最下階の階段ユニット５０のジグと上階の階段ユニット５０のジグとは、同様の構成であるため、最下階の階段ユニット５０のジグについて説明し、上階の階段ユニット５０のジグについての説明を省略する。
【００５２】
ジグ８５は、踏板５２と、蹴込み板５３と、ささら板５５とを界壁７０に取り付ける過程で使用される。
【００５３】
ジグ８５は、第１ジグ８５ａと、第２ジグ８５ｂと、第３ジグ８５ｃと、を有する。第１ジグ８５ａは、図１４（ａ）に示すように、３つの踏板５２と、３つの蹴込み板５３と、外周側の２つのささら板５５を支持して、サブ階段ユニットとしての第１サブ階段ユニット５０ａを構成する。第２ジグ８５ｂは、図１４（ｂ）に示すように、２つの踏板５２と、２つの蹴込み板５３と、外周側の１つのささら板５５を支持して、サブ階段ユニットとしての第２サブ階段ユニット５０ｂを構成する。第３ジグ８５ｃは、図１４（ｃ）に示すように、外周側の２つのささら板５５を支持して、サブ階段ユニットとしての第３サブ階段ユニット５０ｃを構成する。
【００５４】
ジグ８５は、図１５に示すように、複数の角形鋼管で形成される。ジグ８５は、ささら板５５の下側の張出部５５ｂを下方から支持する。
【００５５】
ささら板５５の下側の張出部５５ｂと当接するジグ８５の上面には、複数の取付孔８６が形成される。ささら板５５の下側の張出部５５ｂには、ジグ８５の取付孔８６に対応して、複数の取付孔５５ｃが形成される。
【００５６】
ボルトＢが、ささら板５５の取付孔５５ｃを介して、ジグ８５の取付孔８６に挿入されることで、ささら板５５がジグ８５に仮固定される。ささら板５５の取付孔５５ｃとジグ８５の取付孔８６は、ボルトＢの径より十分に大きく形成され、ささら板５５の取付孔５５ｃとジグ８５の取付孔８６に対して着脱自在とする。これにより、作業者は、ジグ８５を階段ユニット５０から容易に取り外すことができる。
【００５７】
［ユニット建物の組立手順］
図１６〜図１９は、実施例１のユニット建物の組立手順を説明する説明図である。以下、図１６〜図１９に基づいて、実施例１のユニット建物の組立手順を説明する。
【００５８】
（壁取付工程）
壁取付工程では、図１６に示すように、最下層の建物ユニット１０に、１枚の界壁７０と１枚の間仕切り壁８０を取り付ける。
【００５９】
（サブ階段ユニット設置工程）
サブ階段ユニット設置工程では、図１７に示すように、最下階の建物ユニット１０に、第１サブ階段ユニット５０ａと、第２サブ階段ユニット５０ｂと、第３サブ階段ユニット５０ｃと、を設置する。この際、第１サブ階段ユニット５０ａと、第２サブ階段ユニット５０ｂと、第３サブ階段ユニット５０ｃと、に備えられたささら板５５を、ビスＳによって、界壁７０に取り付ける。また、サブ階段ユニット設置工程では、その他の複数のささら板５５を、ビスＳによって、界壁７０に取り付ける。
【００６０】
（中央壁取付工程）
中央壁取付工程では、図１８に示すように、中央壁６０を、最下階の建物ユニット１０に設置する。また、中央壁取付工程では、複数の踏板５２と蹴込み板５３を、界壁７０に取り付けられたささら板５５上に載置して、ビスＳによって固定する。
【００６１】
（ジグ取外工程）
ジグ取外工程では、図１９に示すように、第１ジグ８５ａと、第２ジグ８５ｂと、第３ジグ８５ｃとを最下階の建物ユニット１０から取り外す。次いで、ジグ取外工程では、残りの界壁７０を最下層の建物ユニット１０に取り付ける。
【００６２】
上階の建物ユニット１１０についても、同様に、壁取付工程と、サブ階段ユニット設置工程と、中央壁取付工程と、ジグ取外工程と、を経て組み立てられる。
【００６３】
（建物ユニット設置工程）
建物ユニット設置工程では、図１に示すように、基礎２の上に、最下階の建物ユニット１０が設置される。最下階の建物ユニット１０の上に、上階の建物ユニット１１０が設置される。上階の建物ユニット１１０の上に、最上階の建物ユニット２１０が設置される。
最上階の建物ユニット２１０の上に、屋根パネル３が設置される。
【００６４】
このように、ユニット建物１は、壁取付工程と、サブ階段ユニット設置工程と、中央壁取付工程と、ジグ取外工程と、建物ユニット設置工程とを経て、組み立てられる。
【００６５】
次に、実施例１の階段構造及びユニット建物における作用を説明する。実施例１の階段構造は、鉄製の階段（廻り階段５１）が界壁７０に隣接する階段構造である。この階段構造において、界壁７０は、耐火ボード（石膏ボード７３）と耐火ボード（石膏ボード７３）との間に、不燃材の枠材７１と、枠材７１に横架される不燃材の横架材７２と、を備え、階段（廻り階段５１）は、横架材７２に固定される（図８）。
【００６６】
これにより、界壁７０を貫通することなく、階段（廻り階段５１）を界壁７０の横架材７２に取り付けることができる。そのため、界壁７０の防火性や遮音性を維持しつつ、界壁７０に階段（廻り階段５１）を取り付けることができる。また、階段（廻り階段５１）を界壁７０に取り付けることができるので、柔軟な設計に対応することができる。また、鉄製の階段（廻り階段５１）は、不燃材の枠材７１に取り付けられた不燃材の横架材７２に取り付けられるため、耐火性能を向上させることができる。そのため、火災時の避難路の確保をすることができる。
【００６７】
実施例１の階段構造では、階段は、乾式接続によって、横架材に固定される（図１２）。
【００６８】
これにより、乾式接続によって、階段（廻り階段５１）を横架材７２に固定することができる。そのため、溶接する場合と比較して、軽量化することができる。また、手間の掛かる溶接作業をすることなく、階段（廻り階段５１）を界壁７０に取り付けることができる。そのため、施工時間の短縮化やコスト削減を図ることができる。
【００６９】
実施例１の階段構造では、階段は、踏板５２と、ささら板５５と、を備え、踏板５２は、ささら板５５を介して、横架材７２に固定される（図１２）。
【００７０】
これにより、乾式接続によって、階段（廻り階段５１）を横架材７２に固定することができる。そのため、溶接する場合と比較して、軽量化することができる。
【００７１】
実施例１の階段構造では、１つの階層を構成する階段（廻り階段５１）は、複数のサブ階段ユニット（第１サブ階段ユニット５０ａ，第２サブ階段ユニット５０ｂ，第３サブ階段ユニット５０ｃ）から形成される（図１４）。
【００７２】
これにより、小さいサイズに分割されたサブ階段ユニット（第１サブ階段ユニット５０ａ，第２サブ階段ユニット５０ｂ，第３サブ階段ユニット５０ｃ）を、界壁７０に取り付けることができる。そのため、取付作業性を向上させることができる。特に、階段（廻り階段５１）を乾式接続で、界壁７０に固定する場合、取付作業性が向上する。
【００７３】
実施例１のユニット建物１は、上記階段構造を備える（図１及び図２）。これにより、例えば、集合住宅に対応した自由度のあるユニット建物を設計することができる。
【００７４】
以上、本開示の階段構造及びユニット建物を実施例１に基づき説明してきた。しかし、具体的な構成については、この実施例に限られるものではなく、特許請求の範囲の各請求項に係る発明の要旨を逸脱しない限り、設計の変更や追加等は許容される。
【００７５】
実施例１では、廻り階段の外周壁を、界壁とする例を示した。しかし、外周壁の一部を界壁としてもよい。すなわち、廻り階段は、少なくとも一部で界壁と隣接していればよい。
【００７６】
実施例１では、階段を廻り階段とする例を示した。しかし、階段としては、直階段や、折返し階段、折れ曲がり階段等であってもよい。
【００７７】
実施例１では、本発明を３階建てのユニット建物に適用する例を示した。しかし、本発明は、２階建の建物や、４階建以上の建物に適用することができる。
【００７８】
実施例１では、本発明とユニット建物に適用する例を示した。しかし、本発明は、一般的な鉄骨構造の建物や、在来工法の建物、ツーバイフォー式の建物にも適用可能である。
【符号の説明】
【００７９】
１        ユニット建物
５０ａ    第１サブ階段ユニット（サブ階段ユニットの一例）
５０ｂ    第２サブ階段ユニット（サブ階段ユニットの一例）
５０ｃ    第３サブ階段ユニット（サブ階段ユニットの一例）
５１      廻り階段（階段の一例）
５２      踏板
５５      ささら板
７０      界壁
７１      枠材
７２      横架材
７３      石膏ボード（耐火ボードの一例）
【図１】
2020041311.tif 000003
【図２】
2020041311.tif 000004
【図３】
2020041311.tif 000005
【図４】
2020041311.tif 000006
【図５】
2020041311.tif 000007
【図６】
2020041311.tif 000008
【図７】
2020041311.tif 000009
【図８】
2020041311.tif 000010
【図９】
2020041311.tif 000011
【図１０】
2020041311.tif 000012
【図１１】
2020041311.tif 000013
【図１２】
2020041311.tif 000014
【図１３】
2020041311.tif 000015
【図１４】
2020041311.tif 000016
【図１５】
2020041311.tif 000017
【図１６】
2020041311.tif 000018
【図１７】
2020041311.tif 000019
【図１８】
2020041311.tif 000020
【図１９】
2020041311.tif 000021